(57)【要約】【課題】電線に引き抜き力が作用してもコネクタの嵌合状態を維持することが可能な電線対基板コネクタを提供する。【解決手段】電線対基板コネクタ１は、電線２に取り付けられるプラグ３と、基板４に実装されるレセプタクル５とを備える。プラグ３及びレセプタクル５は、板金折り曲げにより形成される。プラグ３をレセプタクル５と嵌合させることで電線２を基板４に対して電気的に接続する。レセプタクル５は筒状に形成された収容部６を有する。プラグ３は収容部６に挿入される挿入部３１を有する。挿入部３１に爪部３８を設け、収容部６に被係合面１６を設ける。挿入部３１を収容部６に挿入することで爪部３８が被係合面１６に係合してプラグ３とレセプタクル５とが嵌合するように構成されている。爪部３８及び被係合面１６は、電線２に作用した引き抜き力Fが爪部３８と被係合面１６との係合状態を解除するように働くことを禁止するように構成されている。【選択図】図１４
2012199173.tif 000002
【特許請求の範囲】
【請求項１】
電線に取り付けられる第１端子と、基板に実装される第２端子と、を備え、前記第１端子及び前記第２端子は金属のみによって形成されており、前記第１端子を前記第２端子と嵌合させることで前記電線を前記基板に対して電気的に接続する、電線対基板コネクタであって、
前記第2端子は筒状に形成された収容部を有し、
前記第1端子は前記収容部に挿入される挿入部を有し、
前記収容部又は前記挿入部のうち何れか一方に爪部を設け、他方に前記爪部が係合する被係合部を設け、
前記挿入部を前記収容部に挿入することで、前記爪部が前記被係合部に係合して前記第１端子と前記第２端子とが嵌合するように構成されており、
前記爪部及び前記被係合部は、前記電線に作用した引き抜き力が、前記爪部と前記被係合部との係合状態を解除するように働くことを禁止するように構成されている、
電線対基板コネクタ。
【請求項２】
請求項１に記載の電線対基板コネクタであって、
前記爪部は前記挿入部に形成されており、
前記被係合部は前記収容部に形成されている、
電線対基板コネクタ。
【請求項３】
請求項２に記載の電線対基板コネクタであって、
前記挿入部は、互いに対向する一対の側板と、前記一対の側板のうち一方の側板に寄せられて形成された片持ち梁状のロックバネ片を有し、
前記爪部は、前記ロックバネ片に形成されている、
電線対基板コネクタ。
【請求項４】
請求項２又は３に記載の電線対基板コネクタであって、
前記収容部の周壁にはロック孔が、前記収容部の開口端であって前記挿入部が挿入される開口端と反対側の開口端には閉塞板が形成されており、
前記被係合部は、前記ロック孔の内周面に形成されている、
電線対基板コネクタ。
【請求項５】
請求項４に記載の電線対基板コネクタであって、
前記収容部には、前記挿入部を前記収容部に挿入する際の前記挿入部の姿勢が適正でない場合に、前記挿入部に対して物理的に干渉し、前記挿入部の前記収容部への挿入を阻止する、誤挿入阻止突起が形成されている、
電線対基板コネクタ。
【請求項６】
請求項５に記載の電線対基板コネクタであって、
前記誤挿入阻止突起は、前記ロック孔を形成する際の切り起こしにより形成されている、
電線対基板コネクタ。
【請求項７】
請求項１〜６の何れかに記載の電線対基板コネクタであって、
前記収容部は、片持ち梁状のコンタクトバネ片を有する、
電線対基板コネクタ。
【請求項８】
請求項１〜７の何れかに記載の電線対基板コネクタであって、
板金折り曲げによって筒状とした前記収容部の継ぎ目には、前記収容部の筒状とした形状を保持するための形状保持機構が形成されている、
電線対基板コネクタ。
【請求項９】
請求項８に記載の電線対基板コネクタであって、
前記形状保持機構は、形状保持突起と、前記形状保持突起が収容される形状保持突起収容孔と、によって実現されている、
電線対基板コネクタ。
【請求項１０】
請求項１〜９の何れかに記載の電線対基板コネクタであって、
前記収容部は、角筒状に形成されている、
電線対基板コネクタ。
【請求項１１】
請求項１〜１０の何れかに記載の電線対基板コネクタであって、
前記第２端子は、互いに対向する一対の側板と、前記一対の側板のうち一方の側板に形成され、前記収容部への前記挿入部の挿入を案内する案内片を備える、
電線対基板コネクタ。
【発明の詳細な説明】
【技術分野】
【０００１】
本発明は、電線対基板コネクタに関する。
【背景技術】
【０００２】
この種の技術として、特許文献１は、本願の図１９に示すように、基板上に表面実装される低背形表面実装ファストンタブ端子１００に、線材１０１の付いた線材側ファストンタブ端子１０２を接続する構成を開示している。
【先行技術文献】
【特許文献】
【０００３】
【特許文献１】特開２０１０−１８６６６３号公報
【発明の概要】
【発明が解決しようとする課題】
【０００４】
しかし、特許文献１の構成では、線材１０１を低背形表面実装ファストンタブ端子１００から引き抜こうとする力である引き抜き力が線材１０１に作用した場合、線材側ファストンタブ端子１０２が低背形表面実装ファストンタブ端子１００から抜け落ちてしまうことがあった。
【０００５】
本願発明の目的は、電線に引き抜き力が作用してもコネクタの嵌合状態を維持することが可能な電線対基板コネクタを提供することにある。
【課題を解決するための手段】
【０００６】
本願発明の観点によれば、電線に取り付けられる第１端子と、基板に実装される第２端子と、を備え、前記第１端子及び前記第２端子は金属のみによって形成されており、前記第１端子を前記第２端子と嵌合させることで前記電線を前記基板に対して電気的に接続する、電線対基板コネクタは、以下のように構成される。即ち、前記第2端子は筒状に形成された収容部を有する。前記第1端子は前記収容部に挿入される挿入部を有する。前記収容部又は前記挿入部のうち何れか一方に爪部を設け、他方に前記爪部が係合する被係合部を設ける。前記挿入部を前記収容部に挿入することで、前記爪部が前記被係合部に係合して前記第１端子と前記第２端子とが嵌合するように構成されている。前記爪部及び前記被係合部は、前記電線に作用した引き抜き力が、前記爪部と前記被係合部との係合状態を解除するように働くことを禁止するように構成されている。
また、好ましくは、前記爪部は前記挿入部に形成されている。前記被係合部は前記収容部に形成されている。
また、好ましくは、前記挿入部は、互いに対向する一対の側板と、前記一対の側板のうち一方の側板に寄せられて形成された片持ち梁状のロックバネ片を有する。前記爪部は、前記ロックバネ片に形成されている。
また、好ましくは、前記収容部の周壁にはロック孔が、前記収容部の開口端であって前記挿入部が挿入される開口端と反対側の開口端には閉塞板が形成されている。前記被係合部は、前記ロック孔の内周面に形成されている。
また、好ましくは、前記収容部には、前記挿入部を前記収容部に挿入する際の前記挿入部の姿勢が適正でない場合に、前記挿入部に対して物理的に干渉し、前記挿入部の前記収容部への挿入を阻止する、誤挿入阻止突起が形成されている。
また、好ましくは、前記誤挿入阻止突起は、前記ロック孔を形成する際の切り起こしにより形成されている。
また、好ましくは、前記収容部は、片持ち梁状のコンタクトバネ片を有する。
また、好ましくは、板金折り曲げによって筒状とした前記収容部の継ぎ目には、前記収容部の筒状とした形状を保持するための形状保持機構が形成されている。
また、好ましくは、前記形状保持機構は、形状保持突起と、前記形状保持突起が収容される形状保持突起収容孔と、によって実現されている。
また、好ましくは、前記収容部は、角筒状に形成されている。
また、好ましくは、前記第２端子は、互いに対向する一対の側板と、前記一対の側板のうち一方の側板に形成され、前記収容部への前記挿入部の挿入を案内する案内片を備える。
【発明の効果】
【０００７】
本願発明によれば、前記電線に引き抜き力が作用しても前記電線対基板コネクタの嵌合状態を維持することができる。
【図面の簡単な説明】
【０００８】
【図１】図１は、嵌合前の電線対基板コネクタの斜視図である。（第１実施形態）
【図２】図２は、嵌合状態の電線対基板コネクタの斜視図である。（第１実施形態）
【図３】図３は、レセプタクルの第１斜視図である。（第１実施形態）
【図４】図４は、レセプタクルの第２斜視図である。（第１実施形態）
【図５】図５は、レセプタクルの第３斜視図である。（第１実施形態）
【図６】図６は、レセプタクルの第４斜視図である。（第１実施形態）
【図７】図７は、図３のVII-VII線断面図である。（第１実施形態）
【図８】図８は、レセプタクルの正面図である。（第１実施形態）
【図９】図９は、プラグの斜視図である。（第１実施形態）
【図１０】図１０は、プラグの平面図である。（第１実施形態）
【図１１】図１１は、プラグの斜視図である。（第１実施形態）
【図１２】図１２は、電線対基板コネクタの第１嵌合方法の説明図である。（第１実施形態）
【図１３】図１３は、電線対基板コネクタの第２嵌合方法の説明図である。（第１実施形態）
【図１４】図１４は、電線対基板コネクタの第３嵌合方法の説明図である。（第１実施形態）
【図１５】図１５は、電線対基板コネクタの第４嵌合方法の説明図である。（第１実施形態）
【図１６】図１６は、電線対基板コネクタの第５嵌合方法の説明図である。（第１実施形態）
【図１７】図１７は、レセプタクルの第１斜視図である。（第２実施形態）
【図１８】図１８は、レセプタクルの第２斜視図である。（第２実施形態）
【図１９】図１９は、特許文献１の図１に相当する図である。
【発明を実施するための形態】
【０００９】
（第１実施形態）
以下、図１〜１６を参照しつつ、本願発明の第１実施形態を説明する。
【００１０】
図１に示すように、電線対基板コネクタ１は、電線２に取り付けられるプラグ３（第１端子）と、基板４に表面実装されるレセプタクル５（第２端子）と、を備えて構成されている。本実施形態において、プラグ３とレセプタクル５は、何れも金属のみから成り、夫々、板金折り曲げにより一体形成されている。そして、図２に示すように、プラグ３をレセプタクル５と嵌合させることで、電線２は基板４に対して電気的に接続されるようになっている。
【００１１】
ここで、「コネクタ挿抜方向」及び「コネクタ高さ方向」、「コネクタ幅方向」を定義する。図１及び図２に示すように、「コネクタ挿抜方向」は、レセプタクル５に対してプラグ３を抜き差しする方向である。「コネクタ挿抜方向」は、「挿し込み方向」と「引き抜き方向」を含む。「挿し込み方向」は、レセプタクル５に対してプラグ３を挿し込む方向である。「引き抜き方向」は、レセプタクル５からプラグ３を引き抜く方向である。「コネクタ高さ方向」は、基板４のコネクタ搭載面４ａに対して直交する方向である。「コネクタ高さ方向」は、「搭載面近接方向」と「搭載面離間方向」を含む。「搭載面近接方向」は、基板４のコネクタ搭載面４ａに対して近づく方向である。「搭載面離間方向」は、基板４のコネクタ搭載面４ａから離れる方向である。「コネクタ幅方向」は、「コネクタ挿抜方向」と「コネクタ高さ方向」の双方に対して直交する方向である。
【００１２】
（レセプタクル５：図３〜８）
図３〜８に示すように、レセプタクル５は、収容部６と実装部７によって構成されている。
【００１３】
（レセプタクル５：収容部６）
収容部６は、略角筒状に形成されている。即ち、収容部６は、底板８と一対の側板９、天板１０を有して構成されている。換言すれば、収容部６の周壁は、底板８と一対の側板９、天板１０によって構成されている。一対の側板９は、互いに対向している。
【００１４】
図３に示すように、底板８と一方の側板９との間の継ぎ目１１には、形状保持機構Eが形成されている。形状保持機構Eは、収容部６の略角筒状とした形状を保持するための機構である。本実施形態において形状保持機構Eは、底板８に形成された形状保持突起１２と、側板９に形成された形状保持突起収容孔１３とによって実現されている。そして、形状保持突起１２を形状保持突起収容孔１３に収容することで、収容部６の略角筒状とした形状が保持されるようになっている。
【００１５】
図４及び図６、図７に示すように、底板８には、片持ち梁状のコンタクトバネ片１４が形成されている。図４及び図６に示すように、コンタクトバネ片１４は、底板８の中央部分を切り起こして形成されている。図７に示すように、コンタクトバネ片１４は、底板８によって片持ち梁状に支持される支持バネ片１４ａと、支持バネ片１４ａの自由端に形成される接触部１４ｂとによって構成されている。接触部１４ｂは、図７に示すコンタクトバネ片１４の無負荷状態において、収容部６の内部空間P内に突出している。
【００１６】
図３及び図５、図７に示すように、天板１０には、略矩形状のロック孔１５が形成されている。図７に示すように、ロック孔１５は、コネクタ高さ方向において、コンタクトバネ片１４の接触部１４ｂと略対向する位置に形成されている。ロック孔１５の内周面１５ａには、コネクタ挿し込み方向を向く面としての被係合面１６（被係合部）が形成されている。また、図５及び図８に示すように、天板１０には、キー１７（誤挿入阻止突起）が形成されている。キー１７は、天板１０に接続し、図８に示すように、天板１０から底板８に向かってコネクタ高さ方向に沿うように（搭載面近接方向に）内部空間P内に突出している。図５に示すように、キー１７は、ロック孔１５を形成する際の切り起こしにより形成されている。図８に示すように、キー１７は、収容部６のコネクタ幅方向における中心線Cからコネクタ幅方向にズレた位置に形成されている。
【００１７】
図３及び図４、図７に示すように、収容部６の開口端であって挿入部３１が挿入される開口端にはガイド用面取り１８が形成されている。収容部６の開口端であって挿入部３１が挿入される開口端と反対側の開口端には、図５〜７に示すように、閉塞板１９が形成されている。収容部６の開口端であって挿入部３１が挿入される開口端と反対側の開口端は、閉塞板１９によって閉塞されている。図５〜７に示すように、閉塞板１９は、コネクタ挿抜方向に対して直交すると共に、天板１０に対して接続している。
【００１８】
（レセプタクル５：実装部７）
実装部７は、図４〜７に示すように、一対の半田付け脚部２０によって構成されている。各半田付け脚部２０は、底板８に対して接続すると共に、底板８をコネクタ挿抜方向において挟むように配置されている。
【００１９】
（電線２：図９〜１０）
本実施形態において電線２は、撚り線２５と絶縁被覆２６によって構成されている。撚り線２５は、絶縁被覆２６によって被覆されている。図９に示すように、撚り線２５は所定長、露出している。
【００２０】
（プラグ３：図９〜１１）
図９〜１１に示すように、プラグ３は、取り付け部３０と、挿入部３１と、連結部３２とによって構成されている。
【００２１】
（プラグ３：取り付け部３０）
図９及び図１０に示すように、取り付け部３０は、電線２をプラグ３に取り付けるためのものである。取り付け部３０は、電線２の撚り線２５に対して圧着される導体圧着部３３と、電線２の絶縁被覆２６に対して圧着される被覆圧着部３４とによって構成されている。
【００２２】
（プラグ３：挿入部３１）
図９に示すように、挿入部３１は、底板３５と、一対の側板３６と、ロックバネ片３７とによって構成されている。底板３５は、コネクタ挿抜方向に延びて形成されている。一対の側板３６は、底板３５をコネクタ幅方向において挟むように、底板３５に対して接続する。一対の側板３６は、底板３５から搭載面離間方向に向かって突出するように形成されている。一対の側板３６は、互いに対向している。従って、底板３５と一対の側板３６は、コネクタ挿抜方向で見たときに略U字を呈することになる。ロックバネ片３７は、挿入部３１の底板３５によって支持された片持ち梁状のバネ片である。ロックバネ片３７は、挿入部３１の底板３５の挿し込み方向における先端に接続し、引き抜き方向に向かって延びて形成されている。従って、挿入部３１の底板３５とロックバネ片３７は、図１０に示すように、コネクタ高さ方向に沿って見たときに相互に重複する。また、ロックバネ片３７は、一対の側板３６のうち一方の側板３６側に寄っており、他方の側板３６とロックバネ片３７との間にはキー挿入隙間ｇが形成されている。また、図９及び図１０に示すように、ロックバネ片３７の引き抜き方向の先端には、搭載面離間方向に若干隆起した爪部３８が形成されている。図１０に示す爪部３８の引き抜き方向における先端面３８ａは、図９に示すロックバネ片３７の無負荷状態において、コネクタ挿抜方向に対して直交している。また、図９に示すように、ロックバネ片３７に爪部３８が搭載面離間方向に若干隆起して形成されることで、爪部３８から見て挿し込み方向側には、挿し込み方向に向かうに連れて搭載面近接方向に向かう傾斜ガイド面３９が形成されている。
【００２３】
（プラグ３：連結部３２）
図９〜１１に示すように、連結部３２は、取り付け部３０と挿入部３１とを連結するものである。
【００２４】
（作動）
次に、図１２〜１６を参照しつつ、電線対基板コネクタ１の使用方法を説明する。
【００２５】
先ず、図１２に示すように、レセプタクル５の実装部７の半田付け脚部２０を、基板４のコネクタ搭載面４ａに形成されている電極パッド４０に夫々、半田付けする。
【００２６】
次に、図１２に示すように、プラグ３の挿入部３１のロックバネ片３７がプラグ３の挿入部３１の底板３５を挟んで基板４と反対側となるように、レセプタクル５に対するプラグ３の姿勢を調整した上で、図１３〜１５に示すように、プラグ３の挿入部３１をレセプタクル５の収容部６に挿入する。このとき、図１４に示すプラグ３の挿入部３１はレセプタクル５の収容部６のコンタクトバネ片１４を搭載面近接方向に押し下げる。また、このとき、プラグ３の挿入部３１のロックバネ片３７は、図９に示すプラグ３の挿入部３１のロックバネ片３７の傾斜ガイド面３９と、図７に示す収容部６の天板１０のガイド用面取り１８と、の相互作用により搭載面近接方向に押し下げられる。そしてやがて図１４に示すプラグ３の挿入部３１のロックバネ片３７の爪部３８が、レセプタクル５の収容部６の天板１０のロック孔１５に到達すると、ロックバネ片３７の自己弾性復元力により、ロックバネ片３７の爪部３８はロック孔１５内に移動する。この移動により、プラグ３の爪部３８は、レセプタクル５の被係合面１６に対して係合する（図１５も併せて参照）。そして、図１５に示すように、この係合によりプラグ３とレセプタクル５が嵌合し、もって、電線対基板コネクタ１はコネクタとしての電気的な接続を果たすことになる。
【００２７】
なお、図１５に示すプラグ３とレセプタクル５の嵌合状態において、仮に電線２に引き抜き力Fが作用したとしても、プラグ３とレセプタクル５の嵌合状態は解除されることはない。なぜなら、プラグ３の爪部３８と収容部６の被係合面１６は、電線２に作用する引き抜き力Fが、プラグ３の爪部３８とレセプタクル５の被係合面１６との係合状態を解除するように働くことを禁止するように構成されているからである。具体的には、図１５に示すプラグ３とレセプタクル５の嵌合状態において、図１０に示す爪部３８の先端面３８ａと、図７に示す被係合面１６は、何れもコネクタ挿抜方向に対して直交している。
【００２８】
また、プラグ３とレセプタクル５との導通は、図１５においてプラグ３とレセプタクル５が接触するすべての接点で実現される。しかし、それに加えて、本実施形態では、プラグ３とレセプタクル５が嵌合した状態で、図７に示すコンタクトバネ片１４の自己弾性復元力により、コンタクトバネ片１４の接触部１４ｂが図１１に示すプラグ３の挿入部３１の底板３５に対して強力に接触しており、この接触点で確実な導通が確保されている。
【００２９】
また、図１３及び図１５に示すように、プラグ３の挿入部３１をレセプタクル５の収容部６に挿入する際、図５及び図８に示すレセプタクル５のキー１７は、図１０において太線矢印Gで示すように、ロックバネ片３７と側板３６との間に形成されたキー挿入隙間ｇに挿入されるようになっている。従って、レセプタクル５のキー１７の存在は、通常、プラグ３の挿入部３１をレセプタクル５の収容部６に挿入するのに邪魔にはならない。しかしながら、例えば図１６に示すように、プラグ３の挿入部３１を上下逆にしてレセプタクル５の収容部６に挿入しようとした場合は、図５及び図８に示すレセプタクル５のキー１７は、図１１に示すプラグ３の挿入部３１の底板３５とロックバネ片３７の連結部分４１に対して物理的に干渉する。従って、レセプタクル５のキー１７の存在は、プラグ３の挿入部３１を誤った姿勢でレセプタクル５の収容部６に挿入しようとした場合には、プラグ３の挿入部３１をレセプタクル５の収容部６に挿入することを阻害することになる。
【００３０】
また、図５に示すレセプタクル５の閉塞板１９は、プラグ３の挿入部３１を誤った方向からレセプタクル５の収容部６に挿入することを未然に防止する。挿入部３１の過剰な挿入を防止するストッパーとしての役目もある。
【００３１】
なお、レセプタクル５からプラグ３を引き抜くには、鋭利な先端を有する治具を用いて図１５に示す爪部３８を押し下げればよい。これによれば、プラグ３の爪部３８とレセプタクル５の被係合面１６との係合状態が一時的に解除されることになる。
【００３２】
以上に本願発明の好適な第１実施形態を説明したが、第１実施形態は、要するに、以下の特長を有している。
【００３３】
即ち、図１〜１５に示すように、電線対基板コネクタ１は、電線２に取り付けられるプラグ３（第１端子）と、基板４に実装されるレセプタクル５（第２端子）とを備える。プラグ３及びレセプタクル５は、板金折り曲げにより形成されている。プラグ３をレセプタクル５と嵌合させることで電線２を基板４に対して電気的に接続する。レセプタクル５は筒状に形成された収容部６を有する。プラグ３は収容部６に挿入される挿入部３１を有する。挿入部３１に爪部３８を設け、収容部６に被係合面１６（被係合部）を設ける。挿入部３１を収容部６に挿入することで、爪部３８が被係合面１６に係合してプラグ３とレセプタクル５とが嵌合するように構成されている。爪部３８及び被係合面１６は、電線２に作用した引き抜き力Fが、爪部３８と被係合面１６との係合状態を解除するように働くことを禁止するように構成されている。以上の構成によれば、電線２に引き抜き力Fが作用しても電線対基板コネクタ１の嵌合状態を維持することができる。
【００３４】
なお、第１実施形態では、挿入部３１に爪部３８を設け、収容部６に被係合面１６（被係合部）を設けることとしたが、これに代えて、挿入部３１に被係合部を設け、収容部６に爪部を設けることとしてもよい。
【００３５】
また、挿入部３１は、片持ち梁状のロックバネ片３７を有する。爪部３８は、ロックバネ片３７に形成されている。以上の構成によれば、爪部３８の変位可能な可動域を大きく確保することができる。
【００３６】
また、収容部６の天板１０（周壁）にはロック孔１５が形成されている。被係合面１６は、ロック孔１５の内周面１５ａに形成されている。以上の構成によれば、簡素な構成で、被係合面１６を実現することができる。
【００３７】
また、収容部６には、挿入部３１を収容部６に挿入する際の挿入部３１の姿勢が適正でない場合に、挿入部３１に対して物理的に干渉し、挿入部３１の収容部６への挿入を阻止するキー１７（誤挿入阻止突起）が形成されている。以上の構成によれば、挿入部３１を収容部６に挿入する際の挿入部３１の姿勢が適正でない場合に、挿入部３１の収容部６への挿入を阻止することができる。
【００３８】
また、キー１７は、ロック孔１５を形成する際の切り起こしにより形成されている。以上の構成によれば、キー１７を安価に形成することができる。
【００３９】
また、収容部６は、片持ち梁状のコンタクトバネ片１４を有する。コンタクトバネ片１４は、収容部６に挿入された挿入部３１に対して、自己弾性復元力により接触する。以上の構成によれば、プラグ３とレセプタクル５との確かな接点を確保することができる。
【００４０】
また、板金折り曲げによって筒状とした収容部６の継ぎ目１１には、収容部６の筒状とした形状を保持するための形状保持機構Eが形成されている。以上の構成によれば、収容部６の筒状とした形状が保持される。
【００４１】
また、形状保持機構Eは、形状保持突起１２と、形状保持突起１２が収容される形状保持突起収容孔１３とによって実現されている。以上の構成によれば、挿入部３１をこじって挿入して収容部６を変形させようとしても簡素な構造で、形状保持機構Eが実現される。
【００４２】
以上に本願発明の好適な第１実施形態を説明したが、第１実施形態は以下のように変更できる。
【００４３】
即ち、図９に示すように、上記第１実施形態において電線２は導体圧着部３３や被覆圧着部３４を用いて圧着によりプラグ３に接続することとしたが、これに代えて、例えば半田付けなどの他の手法でもよい。
【００４４】
（第２実施形態）
次に、図１７及び図１８を参照しつつ、本願発明の第２実施形態を説明する。ここでは、本実施形態が上記第１実施形態と異なる点を中心に説明し、重複する説明は適宜省略する。また、上記第１実施形態の各構成要素に対応する構成要素には原則として同一の符号を付すこととする。
【００４５】
本実施形態では、図１７及び図１８に示すように、継ぎ目１１に対して隣接する側板９が引き抜き方向に向かって延びることで、挿入ガイド片５０（案内片）が形成されている。即ち、レセプタクル５の収容部６が有する一対の側板９のうち一方の側板９には、挿入ガイド片５０が形成されている。端的に言えば、レセプタクル５は、挿入ガイド片５０を有する。この挿入ガイド片５０は、収容部６への挿入部３１の挿入を案内する案内片である。この挿入ガイド片５０の存在により、上記第１実施形態と比較して、プラグ３の挿入部３１をレセプタクル５の収容部６に挿入する作業が一層容易となる。つまり、プラグ３とレセプタクル５との嵌合作業が楽になる。
【符号の説明】
【００４６】
１  電線対基板コネクタ
２  電線
３  プラグ（第１端子）
４  基板
４ａ  コネクタ搭載面
５  レセプタクル（第２端子）
６  収容部
７  実装部
８  底板
９  側板
１０  天板（周壁）
１１  継ぎ目
１２  形状保持突起
１３  形状保持突起収容孔
１４  コンタクトバネ片
１４ａ  支持バネ片
１４ｂ  接触部
１５  ロック孔
１５ａ  内周面
１６  被係合面（被係合部）
１７  キー（誤挿入阻止突起）
１８  ガイド用面取り
１９  閉塞板
２０  半田付け脚部
２５  撚り線
２６  絶縁被覆
３０  取り付け部
３１  挿入部
３２  連結部
３３  導体圧着部
３４  被覆圧着部
３５  底板
３６  側板
３７  ロックバネ片
３８  爪部
３８ａ  先端面
３９  傾斜ガイド面
４０  電極パッド
４１  連結部分
５０  挿入ガイド片（案内片）
P  内部空間
C  中心線
E  形状保持機構
F  引き抜き力
ｇ  キー挿入隙間
G  太線矢印
【図１】
2012199173.tif 000003
【図２】
2012199173.tif 000004
【図３】
2012199173.tif 000005
【図４】
2012199173.tif 000006
【図５】
2012199173.tif 000007
【図６】
2012199173.tif 000008
【図７】
2012199173.tif 000009
【図８】
2012199173.tif 000010
【図９】
2012199173.tif 000011
【図１０】
2012199173.tif 000012
【図１１】
2012199173.tif 000013
【図１２】
2012199173.tif 000014
【図１３】
2012199173.tif 000015
【図１４】
2012199173.tif 000016
【図１５】
2012199173.tif 000017
【図１６】
2012199173.tif 000018
【図１７】
2012199173.tif 000019
【図１８】
2012199173.tif 000020
【図１９】
2012199173.tif 000021
【手続補正書】
【提出日】平成23年10月18日(2011.10.18)
【手続補正１】
【補正対象書類名】特許請求の範囲
【補正対象項目名】全文
【補正方法】変更
【補正の内容】
【特許請求の範囲】
【請求項１】
電線に取り付けられる第１端子と、基板に実装される第２端子と、を備え、前記第１端子及び前記第２端子は金属によって形成されており、前記第１端子を前記第２端子と嵌合させることで前記電線を前記基板に対して電気的に接続する、電線対基板コネクタであって、
前記第2端子は筒状に形成された収容部を有し、
前記第1端子は前記収容部に挿入される挿入部を有し、
前記挿入部に爪部を設け、前記収容部に被係合部を設け、
前記挿入部を前記収容部に挿入することで、前記爪部が前記被係合部に係合して前記第１端子と前記第２端子とが嵌合するように構成されている、
電線対基板コネクタ。
【請求項２】
請求項１に記載の電線対基板コネクタであって、
前記挿入部は、片持ち梁状のロックバネ片を有し、
前記爪部は、前記ロックバネ片に形成されている、
電線対基板コネクタ。
【請求項３】
請求項２に記載の電線対基板コネクタであって、
前記挿入部は、互いに対向する一対の側板を有する、
電線対基板コネクタ。
【請求項４】
請求項３に記載の電線対基板コネクタであって、
前記ロックバネ片は、前記一対の側板の間に形成されている、
電線対基板コネクタ。
【請求項５】
請求項４に記載の電線対基板コネクタであって、
前記ロックバネ片は、前記一対の側板のうち一方の側板に寄せられて形成されており、
前記ロックバネ片と、前記一対の側板のうち他方の側板と、の間には、キー挿入隙間が形成されている、
電線対基板コネクタ。
【請求項６】
請求項５に記載の電線対基板コネクタであって、
前記収容部には、前記キー挿入隙間に挿入される誤挿入阻止突起が形成されている、
電線対基板コネクタ。
【請求項７】
請求項６に記載の電線対基板コネクタであって、
前記誤挿入阻止突起は、前記収容部の周壁から切り起こして形成されている、
電線対基板コネクタ。
【請求項８】
請求項７に記載の電線対基板コネクタであって、
前記収容部の周壁にロック孔が形成されており、
前記被係合部は、前記ロック孔の内周面に形成されている、
電線対基板コネクタ。
【請求項９】
請求項８に記載の電線対基板コネクタであって、
前記誤挿入阻止突起は、前記ロック孔を形成する際の切り起こしにより形成されている、
電線対基板コネクタ。
【請求項１０】
請求項１〜６の何れかに記載の電線対基板コネクタであって、
前記収容部の周壁にロック孔が形成されており、
前記被係合部は、前記ロック孔の内周面に形成されている、
電線対基板コネクタ。
【請求項１１】
請求項１〜１０の何れかに記載の電線対基板コネクタであって、
前記収容部の開口端であって前記挿入部が挿入される開口端と反対側の開口端には閉塞板が形成されている、
電線対基板コネクタ。
【請求項１２】
請求項１〜１１の何れかに記載の電線対基板コネクタであって、
前記収容部は、片持ち梁状のコンタクトバネ片を有する、
電線対基板コネクタ。
【請求項１３】
請求項１〜１２の何れかに記載の電線対基板コネクタであって、
板金折り曲げによって筒状とした前記収容部の継ぎ目には、前記収容部の筒状とした形状を保持するための形状保持機構が形成されており、
前記形状保持機構は、形状保持突起と、前記形状保持突起が収容される形状保持突起収容孔と、によって実現されている、
電線対基板コネクタ。
【請求項１４】
請求項１〜１３の何れかに記載の電線対基板コネクタであって、
前記収容部は、角筒状に形成されている、
電線対基板コネクタ。
【請求項１５】
請求項１又は２に記載の電線対基板コネクタであって、
前記第２端子は、互いに対向する一対の側板と、前記一対の側板のうち一方の側板に形成され、前記収容部への前記挿入部の挿入を案内する案内片を備える、
電線対基板コネクタ。
【手続補正２】
【補正対象書類名】明細書
【補正対象項目名】０００６
【補正方法】変更
【補正の内容】
【０００６】
本願発明の観点によれば、電線に取り付けられる第１端子と、基板に実装される第２端子と、を備え、前記第１端子及び前記第２端子は金属によって形成されており、前記第１端子を前記第２端子と嵌合させることで前記電線を前記基板に対して電気的に接続する、電線対基板コネクタであって、前記第2端子は筒状に形成された収容部を有し、前記第1端子は前記収容部に挿入される挿入部を有し、前記挿入部に爪部を設け、前記収容部に被係合部を設け、前記挿入部を前記収容部に挿入することで、前記爪部が前記被係合部に係合して前記第１端子と前記第２端子とが嵌合するように構成されている、電線対基板コネクタが提供される。
好ましくは、前記挿入部は、片持ち梁状のロックバネ片を有し、
前記爪部は、前記ロックバネ片に形成されている。
好ましくは、前記挿入部は、互いに対向する一対の側板を有する。
好ましくは、前記ロックバネ片は、前記一対の側板の間に形成されている。
好ましくは、前記ロックバネ片は、前記一対の側板のうち一方の側板に寄せられて形成されており、前記ロックバネ片と、前記一対の側板のうち他方の側板と、の間には、キー挿入隙間が形成されている。
好ましくは、前記収容部には、前記キー挿入隙間に挿入される誤挿入阻止突起が形成されている。
好ましくは、前記誤挿入阻止突起は、前記収容部の周壁から切り起こして形成されている。
好ましくは、前記収容部の周壁にロック孔が形成されており、前記被係合部は、前記ロック孔の内周面に形成されている。
好ましくは、前記誤挿入阻止突起は、前記ロック孔を形成する際の切り起こしにより形成されている。
好ましくは、前記収容部の周壁にロック孔が形成されており、前記被係合部は、前記ロック孔の内周面に形成されている。
好ましくは、前記収容部の開口端であって前記挿入部が挿入される開口端と反対側の開口端には閉塞板が形成されている。
好ましくは、前記収容部は、片持ち梁状のコンタクトバネ片を有する。
好ましくは、板金折り曲げによって筒状とした前記収容部の継ぎ目には、前記収容部の筒状とした形状を保持するための形状保持機構が形成されており、前記形状保持機構は、形状保持突起と、前記形状保持突起が収容される形状保持突起収容孔と、によって実現されている。
好ましくは、前記収容部は、角筒状に形成されている。
好ましくは、前記第２端子は、互いに対向する一対の側板と、前記一対の側板のうち一方の側板に形成され、前記収容部への前記挿入部の挿入を案内する案内片を備える。